Podtech/llm-jp-corpus-v4-ja_patent huggingface dataset:
(57)【要約】      （修正有）【課題】レーザー光の照射による乱反射光の制御を的確に行ない、光学式ディスクからの情報取得を向上できる光学式ディスクを提供する。【解決手段】光学式ディスク本体１の外側面２、内側面３、上面、下面の内周部分５、下面の外周部分６に黒色塗装７を設ける。これによりレーザー光の照射による乱反射光の制御を的確に行う事ができ、情報取得の向上が確認出来る。【選択図】図２
2013020687.tif 000002
【特許請求の範囲】
【請求項１】
光学式ディスク本体（１）の外側面（２）内側面（３）上面（４）下面の内周部分（５）下面の外周部分（６）に黒色塗装（７）を設けた光学式ディスク。
【発明の詳細な説明】
【技術分野】
【０００１】  この発明は、従来の光学式ディスクの記録部分以外に黒色塗装を設ける事により、光学式ディスクからの情報取得の向上を目的とした黒色塗装付き光学式ディスクに関するものである。
【技術背景】
【０００２】  従来の光学式ディスクは、上面の塗装加工や外側面の形状加工や本体の材質変更をする事で光学式ディスクからの情報取得の向上を行っていた。
【発明の開示】
【発明が解決しようとする課題】
【０００３】  これは次のような欠点があった。
従来の光学式ディスクの加工は、レーザー光の照射による乱反射光の制御を的確に行えないために、情報取得の向上に不備があった。
本発明は、以上のような欠点をなくすためになされたものである。
【課題を解決するための手段】
【０００４】  光学式ディスク本体（１）の外側面（２）内側面（３）上面（４）下面の内周部分（５）下面の外周部分（６）に黒色塗装（７）を設ける。
本発明は、以上の構成よりなる黒色塗装付き光学式ディスクである。
【発明の効果】
【０００５】  黒色塗装付き光学式ディスクは、レーザー光の照射による乱反射光の制御を的確に行う事が可能であり、従来のものと比べ著しい情報取得の向上が確認出来る。黒色塗装付きＤＶＤにおいては、画質と音質共に非常に正確な再生が可能になる。また、黒色塗装付きＣＤにおいては、音質の正確な再生が可能になる。さらに黒色塗装付きＣＤ−Ｒ、ＤＶＤ−Ｒ、ＤＶＤ、ＣＤからは、パーソナルコンピューターへの正確な情報取得が可能であり、高品質なデータファイルの作成ができる。
【発明を実施するための最良の形態】
【０００６】  以下、本発明を実施するための最良の形態について説明する。
光学式ディスク本体（１）の外側面（２）内側面（３）上面（４）下面の内周部分（５）下面の外周部分（６）に黒色塗装（７）を設ける。
本発明は以上のような構造である。これを使用するときは、従来の光学式ディスクと同様の操作を行う。本発明は、既存の光学式ディスクにも加工が可能であり、高品質な情報取得のための光学式ディスクの幅広い生産が出来る。
【図面の簡単な説明】
【０００７】
【図１】  本発明の上面斜視図である。
【図２】  本発明の下面斜視図である。
【符号の説明】
【０００８】１  光学式ディスク本体
２  外側面
３  内側面
４  上面
５  下面の内周部分
６  下面の外周部分
７  黒色塗装
【図１】
2013020687.tif 000003
【図２】
2013020687.tif 000004
(57)【要約】【課題】自転車駐車場の利用がピークとなる通勤通学時間帯の混雑を無くす。【解決手段】無線タグを付帯した自転車が自転車駐車場の入口を通過する際に、無線タグからの当該自転車情報を受信し、自転車登録情報と突合せた上で通行可否を判断することにより、ゲートを不要とした。【選択図】図１
2013020598.tif 000002
【特許請求の範囲】
【請求項１】
自転車、自動二輪車の駐車場において、無線タグを各車に付帯するとともに、入出口に当該無線タグの読取装置を設置することで通過自転車を認識・管理するゲートレス自転車駐車場管理システム
【請求項２】
無線タグとして、周波数１３．５６ＭＨｚを用いるゲートレス自転車駐車場管理システム
【請求項３】
無線タグを通して通過する自転車の通行可否を判断し、通行可は緑色、通行不可は赤色をともす信号を設けたゲートレス自転車駐車場管理システム
【発明の詳細な説明】
【技術分野】
【０００１】本発明は、無線タグを用いたゲートの無い自転車駐車場管理システムに関するものである。
【背景技術】
【０００２】自転車、自動二輪車（以下、自転車で代表する）の駐車場においては、入口にて専用カードを読取装置にかざし、通行者を認識するのが一般的である。しかしながら、自転車を携えた通行者は専用カードを読み取らすために読取装置の所で一旦停止しなければならず、またゲートを通過するためにゲート作動時間が掛かり、駐車場の利用がピークとなる通勤通学時間帯は沢山の人で混雑する。
【先行技術文献】
【特許文献】
【０００３】
【特許文献１】特開２００１−３２５６２９号公報
【発明の概要】
【発明が解決しようとする課題】
【０００４】解決しようとする問題点は、自転車駐車場の利用がピークとなる通勤通学時間帯の混雑を無くすことである。
【問題を解決するための手段】
【０００５】本発明は、無線タグを付帯した自転車が自転車駐車場の入口を通過する際に、無線タグからの当該自転車情報を受信し、自転車登録情報と突合せた上で通行可否を判断することにより、ゲートを無くしたことを最も主要な特徴とする。
【発明の効果】
【０００６】本発明の自転車駐車場管理システムは、自転車に付帯してある無線タグの情報受信のため、入口で一旦停止する必要はなく、またゲートが無いので歩行速度での通過が可能となり、通勤通学時間帯でも混雑を生じさせない。
【図面の簡単な説明】
【０００７】
【図１】図１は、本発明の自転車駐車場入口近傍を上方から見た概略図である。（実施例１）
【発明を実施するための形態】
【０００８】無線タグを付帯した自転車が自転車駐車場の入口を通過する際に、無線タグからの当該自転車情報を受信するためには、無線タグの周波数を１３．５６ＭＨｚにする。利用者が自転車を押しながら入口を通過するためには、入口幅を１．０〜１．５メートルとする必要があり、ＨＦ帯の周波数を用いるものである。
【実施例１】
【０００９】図１は、本発明の自転車駐車場入口近傍を上方から見た概略図である。無線タグの読取装置を入口の両側に設置することで、利用者が自転車を押しながら通過し易い入口幅１．０〜１．５メートルとしている。尚、ここで言う無線タグとは、電池を搭載せず読取装置から受けた電波で起電するものである。
【実施例２】
【００１０】無線タグを通して受信した、通過する自転車の登録情報から当該自転車の通行可否を判断し、通行可は緑色、通行不可は赤色の信号をともす。
【実施例３】
【００１１】出口の両側にも読取装置を設置することで、通過した自転車情報を把握し、当該自転車が駐輪場に無くなることを認識する。
【符号の説明】
【００１２】１  読取装置取り付け壁
２  読取装置
３  駐輪場のフェンス
４  入口を通過する自転車
５  自転車を押しながら入口を通過する駐輪場利用者
【図１】
2013020598.tif 000003
(57)【要約】【課題】  一般に販売されている簡易老眼鏡は左右の度数が同じものしか入っていなくて度が進んだら買い換える必要がある。【解決手段】  レンズ交換可能なメガネにおいて、フロント枠１の上部を開放させて、当該開放部分から前記フロント枠１にレンズ４を挿脱できるようにするとともに、前記開放部分に伸びてフロント枠１に嵌め込まれたレンズ４の上部と係合する脚部を有するレンズ押さえ部材５を前記ブリッジ部２に着脱自在に磁着させた構成としてある。【選択図】図１
2013020219.tif 000002
【特許請求の範囲】
【請求項１】
レンズ交換可能なメガネにおいて、フロント枠１の上部を開放させて、当該開放部分から前記フロント枠にレンズを挿脱できるようにするとともに、前記開放部分に伸びてフロント枠に嵌め込まれたレンズの上部と係合する脚部を有するレンズ押さえ部材を、前記ブリッジ部２に着脱自在に磁着させたこと、
を特徴とするメガネ。
【請求項２】
前記ブリッジ部２及び前記レンズ押さえ部材の一方又は双方に磁石３を装着したことを特徴とする請求項１に記載のメガネ。
【請求項３】
レンズのヤゲン６加工を角形にするとともに、このヤゲンが嵌め込まれるフロント枠の溝を前記ヤゲンと同じ角形に形成したことを特徴とする請求項１又は２に記載のメガネ。
【発明の詳細な説明】
【技術分野】
【０００１】      本発明は、レンズが交換可能なメガネに関する。
【背景技術】
【０００２】  一般に販売されている簡易老眼鏡は左右の度数が同じものしか入っていなくて度が進んだら買い換える必要がある。
レンズを交換可能にしたメガネとしては特許文献１に記載されたようなものが知られているが、左右のレンズが一体になったものを交換するもので、左右のレンズを別々に交換することはできない。また、構成が複雑であり、交換も容易ではない。
【先行技術文献】
【特許文献】
【０００３】
【特許文献１】特開２００１−１１７０５１号公報
【発明の概要】
【発明が解決しようとする課題】
【０００４】      本発明は、誰もが簡単に自分で左右のレンズを交換できるメガネの提供を目的とす    る。
【課題を解決するための手段】
【０００５】  上記課題を解決するために本発明のメガネは、レンズ交換可能なメガネにおいて、フロント枠１の上部を開放させて、当該開放部分から前記フロント枠にレンズ４を挿脱できるようにするとともに、前記開放部分に伸びてフロント枠に嵌め込まれたレンズの上部と係合する脚部を有するレンズ押さえ部材を前記ブリッジ部２に着脱自在に磁着させた構成としてある。磁石は、ブリッジ部２及びレンズ押さえ部材の一方又は両方に設ける。
レンズを外れにくくするために、レンズのヤゲン６加工を角形にするとともに、このヤゲンが嵌め込まれるフロント枠の溝を前記ヤゲンと同じ角形に形成するとよい。
【発明の効果】
【０００６】  今回提案している枠は左右違った度数のレンズを消費者のニーズに応じて装着した老眼鏡を提供する物であるが、それと一緒にそれぞれの枠に装着してある度数のレンズのワンステップ度の強いレンズをスペアーとして供給することにより、消費者が後にメガネの度数が合わなくなった時自分で簡単に度の強いレンズに交換出来る。またサングラスのレンズも入れておいて消費者が散歩するときとかドライブするときにサングラスレンズと入れ替えればサングラスとしても使う事が出来る。
【図面の簡単な説明】
【０００７】
【図１】本発明の強力磁石を装着した脱着可能な部品と枠とを説明する図面である。
【図２】本発明の強力磁石を装着した脱着可能な部品を説明する図面である。
【図３】本発明の強力磁石を装着した枠を説明する図面である。
【図４】レンズが簡単に外れないようレンズの溝線に入るヤゲンの加工と枠の溝線のレンズを留める溝加工を同じ角型にすることを説明する図面である。
【発明を実施するための形態】
【０００８】  図１に示すように、フロント枠１の上部のレンズ４を保持する部位を切り取って、レンズを挿脱することができる開放部を形成する。そして、ブリッジ部２のところに強力な磁石３を装着する。また、レンズ４を一部保持する部品５をブリッジ部２に磁石の力で固定する。磁石３は部品５側に設けてもよいし、ブリッジ部２及び部品５の両方に設けてもよい。部品５は、左右に伸びる脚を有していて、この脚でフロント枠１に嵌め込まれたレンズ４の上部を押さえて、レンズ４がフロント枠１から脱落しないようにする。
また、図４に示すように、レンズ４が簡単に外れないように、レンズ４のヤゲン６の加工とフロント枠１の溝線のレンズ４を留める溝７の両方を同じ角型にして、しっかり食い込ませて外れにくくする。部品５の前記脚にも同じように角形の溝を形成する。
強力な磁石３をブリッジ部２に装着することによりレンズが簡単に外れないようにしてあるが、さらにメガネを落としたり、レンズ４を強い力で拭いたりしてもレンズ４が外れないようにするために、部品５とフロント枠１のブリッジ部２を図２に示すようにネジで留めるようにしてもよい。このネジは４回だけ時計廻りの反対方向に廻すとレンズを保持する部品５が枠１より外れるようにする。また締めるときには、ネジを時計廻りの方向に４回廻すことにより完全に締まるようにする。
【図１】
2013020219.tif 000003
【図２】
2013020219.tif 000004
【図３】
2013020219.tif 000005
【図４】
2013020219.tif 000006
(57)【要約】【課題】  カメラレールの小型化、準備時間の短縮化、低価格化。【解決手段】  コネクタ部材１０に、ｗ１／４取り付けネジ穴を設け  Ｌ型レール２０を固定できるスリットを２カ所削る。台車３０にはキャスター取り付け穴とカメラ取り付け穴を開ける。Ｌ型レール２０と台車３０のキャスター部分の設置部分は８カ所かつ設置面積が少ないため、安定、かつなめらかな走行が実現できる。【選択図】図１
2013020217.tif 000002
【特許請求の範囲】
【請求項１】
持ち運びに適し設置時間が短縮できるカメラレールのセット。
【請求項２】
レールの形状。
【発明の詳細な説明】
【技術分野】
【０００１】  本発明は、小型ビデオカメラ用の台車とレールを  小型化、軽量化し、設置に時間をかける事なく、スムーズな動きを実現する装置である。
【発明が解決しようとする課題】
【０００２】  従来品は形状が複雑で、設置に時間がかかり、スムーズに動かない。
【課題を解決するための手段】
【０００３】  この課題を解決するために  請求項１の発明は、レール部分をＬ字型にし、接続部分に乗せるだけとし、かつキャスター部分との接地面が小さいためスムーズな動きができる。
【発明の効果】
【０００４】  本発明により、凸凹面での安定したパン撮影が可能になる。
【図面の簡単な説明】
【０００５】
【図１】分解図  構成
【図２】キャスターとレールの可動方向から見た図である。
【図３】二本の三脚に接地しカメラを乗せた斜視図である。
【発明を実施するための最良の形態】
【０００６】  カメラストラップを用いる事により、レールからの落下を防止する。【０００７】  レールの長さと高さは撮影対象により変更できる。【０００８】  コネクタ部材を増やす事により、レール幅を広げてもよい。
【産業上の利用可能性】
【０００９】  小型カメラレールキットは工業的に量産する事が可能であるため、産業上の利用可能性を有する。
【符号の説明】
【００１０】１０  コネクタ
２０  レール
３０  台車
【図１】
2013020217.tif 000003
【図２】
2013020217.tif 000004
【図３】
2013020217.tif 000005
(57)【要約】      （修正有）【課題】表示板（黒板、ホワイボード等）、掲示板、画板などにおいて、小物（マグネット、画鋲等）、筆記具、表示書類、図面が収納可能な表示板を提供する。【解決手段】表示板１の背面に収納箱本体２を取り付ける。【選択図】図２
2013020218.tif 000002
【特許請求の範囲】
【請求項１】
背面に小物、筆記具、書類、図面等の収納が出来る蓋付き収納箱を取り付けた表示板。
【発明の詳細な説明】
【技術分野】
【０００１】  本発明は表示板、掲示板、画板等の背面に小物、筆記具、書類、図面等を収納する箱を取り付けたものである。
【発明の開示】
【発明が解決しようとする課題】
【０００２】  従来、表示板、掲示板、画板においては、付属物とされる小物筆記具を収納すべき場所が設けられておらず、そうした小物の紛失が絶えず、使用時に不便を生じていた。
本発明は、以上の問題点を解決するためになされたものである。
【課題を解決するための手段】
【０００３】  表示板、掲示板、画板の背面に小物、筆記具、書類、図面等を収納出来る箱を取り付けた。
【発明の効果】
【０００４】  従来、表示板、掲示板、画板等の使用時に小物、筆記具等が見当たらず、不便を生じていたが、背面に収納箱を取り付けたことによって、その不便が解消された。
【発明を実施するための最良の形態】
【０００５】  以下、本発明の実施の形態を説明する。
（イ）表示板（１）の背面に小物、筆記具、種類、図面等を収納するための収納箱（２）を取り付けたものである。
（ロ）表示板（１）と収納箱（２）の取り付け方法として、表示板（１）を収納箱蓋（３）と一体化した携帯壁掛け型と表示板（１）と収納蓋（３）の取り付けを丁番機能付き留め具で連結した自立式携帯型を考案した。
【図面の簡単な説明】
【０００６】
【図１】本発明の斜視図
【図２】本発明の壁掛け型使用時の状態を表す展開斜視図
【図３】本発明の自立型使用時の状態を表す斜視図
【図４】本発明の自立型使用時の状態を表す側面図
【符号の説明】
【０００７】（１）表示板、（２）収納箱本体、（３）収納箱蓋、（４）壁留めビス穴、
（５）開き止め、（６）丁番機能付き取り付け部
【図１】
2013020218.tif 000003
【図２】
2013020218.tif 000004
【図３】
2013020218.tif 000005
【図４】
2013020218.tif 000006
(57)【要約】      （修正有）【課題】庭用のソーラーランプを室内のランプに使用するための構造を有するソーラーランプの台座を提供する。【解決手段】プレート１、ブッシュ２、押さえコマ３、押さえネジ４で構成され、ソーラーライト７の支柱６の内径に合わせて、ブッシュ２の外径が変換できる構造を備える台座。【選択図】図１
2013020921.tif 000002
【特許請求の範囲】
【請求項１】
プレート（１）に押さえネジ（４）を介して、ブッシュ（２）及び押さえコマ（３）を取りつける。又はブッシュ（２）の外側にブッシュ（２Ａ）を取りつけた照明用台座。
【請求項２】
台座に取り付けるブッシュ（２）の形状が軟質材にて、円筒状に形成されている請求項第一項記載の照明用台座。
【請求項３】
プレート（１）とブッシュ（２）が一体型に形成されている請求項第一項記載の照明用台座。
【請求項４】
プレート（１）とブッシュ（２）が一体型に形成され、しかもソーラーライト自体の支柱に圧入できる大きさに形成されている請求項第一項記載の照明用台座。
【発明の詳細な説明】
【発明の詳細な説明】
【産業上の利用分野】
【０００１】  本発明は庭を照らす明かりを家の中の照明に用いる為の台座に関するものである。
【背景技術】
【０００２】  従来、庭に飾る照明は庭に置き、固定されたものが本来のものであった。しかし近年ソーラーのライトなるのものがあり、庭のどこにでも、土にさし、照明を楽しめるものがある。本発明においては、このソーラーライトを家の中のインテリアとしての照明に用いることを目的とする為の器具を提供することを目的とする。
【発明が解消しようとする課題】
【０００３】  従来、日本において電力は十分に使用されていたが、今日は電気の節約が行われようとしている。本発明においてはソーラーライトを家の中で使用することにより、電気の節約をするとともにインテリアとしても楽しむ事の出来る器具を提供するものである。
【０００４】  今日ソーラーライトは各メーカーが色々の種類の機種を発売しているが庭で使用することを目的とし、室内での使用は考えていない事が現状である又ソーラーライトの支柱は室内で使用するようには出来ていなかった。
【課題を解決する為の手段】
【０００５】  上記目的を達成する為に本発明は室内用のソーラーライトスタンドを作ることを目的とする為の台座を提供するものである。
【０００６】  本発明はプレート（１）ブッシュ（２）押さえコマ（３）押さえネジ（４）で構成されている。
プレート（１）はソーラーライトの大きさに対応し、色々の大きさや形状のものがあり、中央に穴（５）があいている。
ブッシュ（２）は円筒状に形成され割目（Ａ）が数カ所作られている。
内径に３０°〜９０°の傾斜が形成され、中央部は空洞になっている。押さえコマ（３）は、円筒状で側面にブッシュ（２）の傾斜と同じ３０°〜９０°の傾面が作られている。中央部にネジ穴（５）が作られている。押さえネジ（４）はブッシュ（２）を通し、押さえコマ（３）に取りつける。ブッシュ（２）においては、同一の形状のブッシュ（２Ａ）がある。ブッシュ（２Ａ）はブッシュ（２）の外側に取り付け内径の変化に対応出来るものである。
【０００７】  請求項第２項においてはブッシュ（２）の形状を円筒状にし、材質をゴム、又は樹脂にて、押さえコマ（３）を押し潰し支柱に取り付けるものである。
【０００８】  請求項第３項においてはフレート（１）とブッシュ（２）が一体型に形成される事により安価に作成することを目的とするものである。
【０００９】  請求項第４項においてはフレート（１）とブッシュ（２）が一体型に形成され、しかもソーラーライト自体の支柱（６）にブッシュ（２）が圧入できる大きさに形成されたものである。
【作用】
【００１０】  上記のように構成された台座は、ソーラーの支柱を（６）をブッシュ（２）に押さえ込む押さえネジ（４）にて、押さえコマ（３）を締め付けると支柱（６）はプレート（１）に確実に固着出来るものであるしかし、支柱（６）の内径とブッシュの外径の差が多い場合はブッシュ（２Ａ）をブッシュ（２）に外嵌させる事により、確実に固着できるものである。
【発明の効果】
【００１１】  本発明は以上説明したように構成されているので以下に記載されるような効果を奏する。
【００１２】  本発明において、ガーデニング等に使用していたソーラーライトが本発明の台座を取り付ける事により、室内の夜間照明に役立つものである。しかも押さえネジ（４）の作動で脱着自在に出来るものである。
【図面の簡単な説明】
【００１３】
【図１】台座付ソーラーライトの縦断面図
【図２】押さえコマの断面図
【図３】プレートの斜視図
【図４】ブッシュ（２）の斜視図
【図５】ブッシュ（２）とブッシュ（２Ａ）を取り付けた縦断面図
【図６】ブッシュ（２）とブッシュ（２Ａ）を取り付けた斜視図
【図７】押さえネジの側面図
【符号の説明】  １  プレート
２  ブッシュ
２Ａ  ブッシュ
３  押さえコマ
４  押さえネジ
５  ネジ穴
６  支柱
７  ソーラーライト
Ａ  割れ目
【図１】
2013020921.tif 000003
【図２】
2013020921.tif 000004
【図３】
2013020921.tif 000005
【図４】
2013020921.tif 000006
【図５】
2013020921.tif 000007
【図６】
2013020921.tif 000008
【図７】
2013020921.tif 000009
(57)【要約】【課題】  電気の使用量が、遮断器等の定格に近づいた場合や定格を超えた場合に、警報音やランプなどにより電気の使用者に知らせ、電気の使用者が重要度が低い電気器具の使用を停止させることで、定格範囲内で電気を使用し、遮断器等が動作しないようにする過電流警報装置を提供する。【解決手段】    磁気抵抗が空気に比べてはるかに小さい鉄の板や棒を、Ｕ字やコの字等に加工した鉄芯（２）に電線（１）を巻きつけ、鉄芯端に、鉄芯端の磁束の大きさが一定値を超えたときに接点が動作するリードスイッチ（４）を設け、リードスイッチ（４）の接点を利用して警報回路（５）やランプを鳴動や点灯させ、電気の使用者に電気の使用量が定格値に近づいたことを知らせ、電気の使用者が重要度が低い電気製品を停止させることで電気の使い過ぎを防止すると共に、突然の停電を防止する過電流警報装置。【選択図】図１
2013020922.tif 000002
【特許請求の範囲】
【請求項１】
磁気抵抗が空気に比べてはるかに小さい鉄の板や棒を、Ｕ字やコの字等に加工した鉄芯（２）に電線（１）を巻きつけ、鉄芯端に、鉄芯端の磁束の大きさが一定値を超えたときに接点が動作するリードスイッチ（４）を設け、リードスイッチ（４）の接点を利用して警報回路（５）やランプを鳴動や点灯させ、電気の使用者に電気の使用量が定格値に近づいたことを知らせ、電気の使用者が、重要度が低い電気製品を停止させることで電気の使い過ぎを防止すると共に、突然の停電を防止する過電流警報装置。
【請求項２】
本発明である警報器の磁束のバラツキの調整、および、感度を調整するために、主磁路の途中に磁路のサイズを調整することが可能な磁気バイパス回路（３）を設けた請求項１の過電流警報器。
【発明の詳細な説明】
【技術分野】
【０００１】  本発明は、電気の使用量が、遮断器等の定格に近づいた場合や定格を超えた場合に、警報音やランプなどにより電気の使用者に過電流であることの情報を知らせ、電気の使用者が、重要度が低い電気器具の使用を停止させることで、定格範囲内で電気を使用し、遮断器等が動作しないように工夫した過電流警報機に関するものである。
【背景技術】
【０００２】  従来、電気の使用量が、遮断器等の定格に近づいた場合や定格を超えた場合、警報音やランプなどにより電気の使用者に知らせる装置は存在したが、手軽に、また、安価にて提供できる製品はなかった。
なお、リードスイッチに直接電線を巻きつけて、電線に流れる電流が発する磁束をリードスイッチで検出し、警報を発する装置が知られていた。（特許文献１参照）
その他、鉄心にホール素子や磁気センサを埋め電流を測定し、警報を発する装置も存在するが、いずれも高価であり、一般の人が気軽に使用することは不可能であった。
【先行技術文献】
【０００３】
【特許文献１】  特開２００４−２３０１２５号公報
【発明の概要】
【発明が解決しようとする課題】
【０００４】  最近の家庭や事務所では、多くの電気製品が普及している。
複数の電気製品を使用するうちに電力を供給している遮断器の定格を越え、突然、遮断機が動作して停電することがある。
定格を超えて電気を使用した場合、警報を発する分電箱、先の特許文献のようにリードスイッチに直接電線を巻きつけたものなどがある。
しかし、前例は、専門の知識や多額の費用が必要であり、ほとんど普及していない。
また、後例では、リードスイッチに直接電線を巻きつけて過電流を検出する方法であるが、同一定格の商品を大量に製作することは困難である。
さらに、近傍に強い磁気がある場合、影響を受けやすく誤動作の可能性があり、やはり普及していない。
本発明は以上の問題点を解決するためになされたものである。
【課題を解決するための手段】
【０００５】  磁気抵抗が空気に比べてはるかに小さい鉄の板や棒を、Ｕ字やコの字等に加工した鉄芯（２）に電線（１）を巻きつける。
鉄芯端に、鉄芯端の磁束の大きさが一定値を超えたときに接点が動作するリードスイッチ（４）を設置する。
リードスイッチ（４）の接点を利用して警報回路（５）やランプを鳴動や点灯させ、電気の使用者に電気の使用量が定格値に近づいたことを知らせ、電気の使用者が、重要度が低い電気製品を停止させることで電気の使い過ぎを防止すると共に、突然の停電を防止する過電流警報器である。
本発明である警報器の磁束のバラツキの調整、および、感度を調整するために、主磁路の途中に磁路のサイズを調整することが可能な磁気バイパス回路（３）を設けたことを特徴とする過電流警報器である。
【発明の効果】
【０００６】（イ）家庭や事務所において、電気の使用量が定格に近づいたときに、警報を発すること    により電気の使用者に知らせる。
使用者は重要度が低い電気製品を停止させることで電気の使い過ぎによる火災や突    然の停電を防止できる。
（ロ）既設分電盤にも簡単に設置することが可能であり、新規分電盤に更新する必要がな    い。
【図面の簡単な説明】
【０００７】
【図１】  本発明の斜視図である。
【図２】  本発明の断面図である。
【図３】  本発明の側面図である。
【図４】  電線を通過させた場合の説明図である。
【発明を実施するための形態】
【０００８】  以下、本発明の実施形態を説明する。
（イ）磁気が通りやすい鉄芯（２）をＵ字、または、コの字形に加工し固定する。
（ロ）固定された鉄芯端にリードスイッチ（４）などの磁気検出器を固定する。
（ハ）磁気検出器と警報回路（５）を接続する。
（ニ）鉄芯（２）に電線（１）を巻きつける。
本発明は以上のような構造である。
Ｕ字形鉄芯とリードスイッチを使用した例について説明する。
本発明品を使用するときは、目的の主回路電線（１）を鉄芯（２）に巻きつける。
リードスイッチの接点出力を警報回路に接続する。
本発明品の警報が発せられた場合は、重要度の低い電気製品の使用を停止し警報を止める。
設定電流が大きい場合は、図４のように鉄芯を通過させるだけでもよいため簡単に設置することが可能である。
【符号の説明】
【０００９】    １  主回路電線
２  鉄芯
３  感度調整鉄片
４  リードスイッチ
５  警報回路
【図１】
2013020922.tif 000003
【図２】
2013020922.tif 000004
【図３】
2013020922.tif 000005
【図４】
2013020922.tif 000006
(57)【要約】【課題】  土中に埋設するもので、大きさや形状が規格されていないため、現場に合わせた施工を行う必要がある。また、太陽光パネルとの一体ではないため、特に屋外の設置には別途施工が必要となる。地面上に設置する小型タイプの屋外灯であり、大容量のバッテリーを収納する機能は有していない。【解決手段】  本発明は上記目的を達成するため、地中に埋設あるいは地上に設置する基礎ブロック本体内に複数の蓄電池を出し入れする収納空洞部を設けると共に、２つ以上の基礎ブロック本体上部に太陽光パネルを載置する取付枠を立設してなること。基礎ブロック本体に、防水機構蓋を設けてなることを特徴とする。【選択図】図１
2013020924.tif 000002
【特許請求の範囲】
【請求項１】
地中に埋設あるいは地上に設置する基礎ブロック本体内に、複数の蓄電池を出し入れする収納空洞部を設けると共に、２つ以上の基礎ブロック本体上部に太陽光パネルを載置する取付枠を立設してなることを特徴とする電源装置の蓄電池収納兼用基礎ブロック。
【請求項２】
基礎ブロック本体に、防水機構蓋を設けてなることを特徴とする請求項１記載の蓄電池収納兼用基礎ブロック。
【発明の詳細な説明】
【技術分野】
【０００１】  本発明は、企画化された基礎ブロック本体内に蓄電池を設けてなる蓄電池収納兼用基礎ブロックに関するものである。
【背景技術】
【０００２】  従来の技術として、電力を貯蔵する蓄電池を備える蓄電システムにおいて、蓄電池を土中に設置したことを特徴とする蓄電システムがある。（特許文献１参照）【０００３】  また、別の従来技術として、屋外に設置される屋外灯において、設置場所から立設される支柱と、該支柱の上部に配置され、太陽光を受けて発電するソーラーパネルと、前記支柱の上部に配置され、前記ソーラーパネルが発電した電力を充電したバッテリを利用して点灯する照明部と、を備え、前記照明部は、前記支柱の上部から屈曲部を介して斜め上方に指向させた照明灯部に設けられ、前記ソーラーパネルは、２体一組でパネルユニットとなすように、傾斜状態で前記支柱を中心として、該支柱の立設方向と直交する方向の両側に対称状に並列配置され、このパネルユニットを、前記支柱の上部から上方延設される補助支柱を軸心として回転変位自在に連結させ、前記パネルユニットの下端を、自身の回転変位時に連結させ、前記パネルユニットの下端を、自身の回転変位時前記照明灯部と非接触となすようにしたことを特徴とする屋外灯がある。（特許文献２参照）
【先行技術文献】
【特許文献】
【０００４】
【特許文献１】  特開２００１−２１１５５６号公報
【特許文献２】  特開２００９−２１８０８６号公報
【発明の概要】
【発明が解決しようとする課題】
【０００５】  上記前者の場合、土中に埋設するもので、大きさや形状が規格されていないため、現場に合わせた施工を行う必要がある。
また、太陽光パネルとの一体ではないため、特に屋外の設置には別途施工が必要となる。【０００６】  上記後者の場合、地面上に設置する小型タイプの屋外灯であり、大容量のバッテリーを収納する機能は有していない。【０００７】  本発明は、このような従来の構成が有していた問題を解決するものであり、２つ以上の基礎ブロック本体内に複数の蓄電池を入れ、上部に取付枠を設けることにより、地中においても地上においても施工することができると共に、特に蓄電池重量によりコンクリート量を削減し、コスト低減することができる。
【課題を解決するための手段】
【０００８】  本発明は上記目的を達成するため、地中に埋設あるいは地上に設置する基礎ブロック本体内に、複数の蓄電池を出し入れする収納空洞部を設けると共に、２つ以上の基礎ブロック本体上部に太陽光パネルを載置する取付枠を立設してなること。基礎ブロック本体に、防水機構蓋を設けてなること。
【発明の効果】
【０００９】１）、防水機構蓋を設けることにより、地中に埋設することもできるし、地上に設置することができる。
２）、基礎ブロック本体空洞部に複数の蓄電池を出し入れ自在に設けることにより、蓄電池重量によりコンクリート量を低減させることができコストダウンとなる。
３）、２つ以上の基礎ブロック本体にて構成するため、太陽光パネルの量によって３つでも４つでもよく、必要に合わせて設定できる。
【図面の簡単な説明】
【００１０】
【図１】  本発明の一実施例を示す蓄電池収納兼用基礎ブロックの一部縦断側面図。
【図２】  本発明の一実施例を示す蓄電池収納兼用基礎ブロックの一部縦断正面図。
【図３】  本発明の一実施例を示す蓄電池収納兼用基礎ブロックの防水機構蓋の要部拡大図。
【図４】  本発明の一実施例を示す蓄電池収納兼用基礎ブロックの使用状態の側面図。
【図５】  本発明の一実施例を示す蓄電池収納兼用基礎ブロックの使用状態の正面図。
【図６】  本発明の一実施例を示す蓄電池収納兼用基礎ブロックの別の使用状態の正面図。
【発明を実施するための形態】
【００１１】  １は、蓄電池収納兼用基礎ブロックである。
２は、一定の形状に成形されたコンクリート製による長方立方体の基礎ブロック本体で    、内部に補強用の鉄筋を配筋（図示せず）し、両側に後述する取付枠を支持する支持    部２ａを突設し、後述する蓋を取り付けるためのホールアンカーＨＡを埋設してなる    と共に、中央長手方向に蓄電池を出し入れする収納空洞部２ｂを形成してある。
３は、防水機構蓋で、強化プラスチック製の蓋３ａと蓋３ａの下面外周に設けてなるゴ    ムパッキン３ｂとからなり、ボルトＢ（ワッシャーＷ）をホールアンカーＨＡに螺設    して固定するものである。
４は、上記支持部２ａに立設してなる太陽光パネルを取り付けるステンレス製等による    取付枠で、支柱４ａの上部に枠４ｂを形設してなる。
【００１２】  上記蓄電池収納兼用基礎ブロック１の使用例について述べる。
公園内にある噴水やトイレ、街路灯等の設備電源として施設するもので、公園内の所要位置に穴ＡＮを掘り、基礎枠石ＫＳを載設し、その上方より基礎ブロック本体２を挿入して施工する。
次に、収納空洞部２ｂ内に必要数の蓄電池ＢＴを入れる。
その後、防水機構蓋３を置く（固定する）。
つづいて、枠４ｂ上に必要個数の太陽光パネルＴＰを配設するものである。
なお、施工後においては、各太陽光パネルＴＰ‐‐‐‐と各設備とを配線し、使用するものである。（図示せず）
【００１３】  つぎに、他の使用例について説明する。
太陽光パネル設置型基礎ブロック１を、例えばビルの屋上のＯＺに設置する場合、所要位置に基礎ブロック本体２を設置する。
その他は、上記と同様な手順とする。
【００１４】  なお、上記実施例において、基礎ブロック本体の大きさや数は必要に応じて決めればよい。
取付枠においても大きさや材質等、必要に応じて決めればよい。
【符号の説明】
【００１８】１――――蓄電池収納兼用基礎ブロック
２――――基礎ブロック本体
３――――防水機構蓋
４――――枠
ＫＳ―――基礎枠石
ＢＴ―――蓄電池
ＴＰ―――太陽光パネル
【図１】
2013020924.tif 000003
【図２】
2013020924.tif 000004
【図３】
2013020924.tif 000005
【図４】
2013020924.tif 000006
【図５】
2013020924.tif 000007
【図６】
2013020924.tif 000008
(57)【要約】【課題】マグネトロンスパッタリングにおいてエロージョンを低減するターゲットおよびその製造方法を提供すること。【解決手段】  マグネトロンスパッタリングによりＡＺＯを成膜するためのターゲットであって、ＺｎＯ粉末とＡｌ粉末を、ＺｎＯ−ｘｍｏｌ％Ａｌ（２≦ｘ≦７）となるように混合して非酸化性雰囲気で加圧焼結したことを特徴とするターゲットである。また、マグネトロンスパッタリングによりＡＺＯを成膜するためのターゲットの製造方法であって、ＺｎＯ粉末とＡｌ粉末を、ＺｎＯ−ｘｍｏｌ％Ａｌ（２≦ｘ≦７）となるように混合し、次いで非酸化性雰囲気で上記混合粉末を加圧焼結することを特徴とするターゲット製造方法である。【選択図】図１
2013170302.tif 000002
【特許請求の範囲】
【請求項１】
マグネトロンスパッタリングによりＡＺＯを成膜するためのターゲットであって、
ＺｎＯ粉末とＡｌ粉末を、ＺｎＯ−ｘｍｏｌ％Ａｌ（２≦ｘ≦７）となるように混合して非酸化性雰囲気で加圧焼結したことを特徴とするターゲット。
【請求項２】
マグネトロンスパッタリングによりＡＺＯを成膜するためのターゲットの製造方法であって、
ＺｎＯ粉末とＡｌ粉末を、ＺｎＯ−ｘｍｏｌ％Ａｌ（２≦ｘ≦７）となるように混合し、
次いで非酸化性雰囲気で上記混合粉末を加圧焼結することを特徴とするターゲット製造方法。
【請求項３】
焼結がパルス通電焼結によることを特徴とする請求項２に記載のターゲット製造方法。
【発明の詳細な説明】
【技術分野】
【０００１】
本発明は、ＡＺＯ成膜用ターゲットおよびその製造方法に関し、特に、マグネトロンスパッタによりＡＺＯ透明導電膜を成膜する際のエロージョンを低減するターゲットおよびその製造方法に関する。
【背景技術】
【０００２】
従来、透明導電薄膜用材料としてＩＴＯ（Ｓｎ−ｄｏｐｅｄ  Ｉｎ２Ｏ３）がよく用いられているが、Ｉｎがレアメタルであり、近年価格も高騰し、資源枯渇の懸念からも、ＩＴＯ代替材料の研究が進んでいる。
【０００３】
その有力な候補としてＡＺＯ（Ａｌ−ｄｏｐｅｄ  ＺｎＯ）が挙げられ、電気抵抗率、耐熱性といった膜特性は実用レベルに達しつつある。
【０００４】
しかしながら、従来の技術では以下の問題点があった。
ＡＺＯは、透明導電薄膜として工業的に製造する場合には、スパッタリング、特にマグネトロンスパッタリングにより成膜される。このとき、ターゲットには、ＺｎＯ粉末とＡｌ２Ｏ３粉末の混合物が用いられるが、このターゲットを用いると、エロージョンが生じるという問題点があった。
【０００５】
すなわち、ターゲットに対向した基板上にＡＺＯが成膜されていくが、マグネトロンスパッタリングの場合は、基板裏面側の印加磁場の影響により、基板中心から所定領域においてＡＺＯの膜抵抗が一桁上昇してしまうという問題点があった。
【先行技術文献】
【特許文献】
【０００６】
【特許文献１】特開２０１２−０１７４９３号公報
【特許文献２】特開２００７−２３８３７５号公報
【発明の概要】
【発明が解決しようとする課題】
【０００７】
すなわち、本発明は上記に鑑みてなされたものであって、マグネトロンスパッタリングにおいてエロージョンを低減するターゲットおよびその製造方法を提供することを目的とする。
【課題を解決するための手段】
【０００８】
請求項１に記載のターゲットは、マグネトロンスパッタリングによりＡＺＯを成膜するためのターゲットであって、ＺｎＯ粉末とＡｌ粉末を、ＺｎＯ−ｘｍｏｌ％Ａｌ（２≦ｘ≦７）となるように混合して非酸化性雰囲気で加圧焼結したことを特徴とする。
【０００９】
請求項２に記載のターゲットの製造方法は、マグネトロンスパッタリングによりＡＺＯを成膜するためのターゲットの製造方法であって、ＺｎＯ粉末とＡｌ粉末を、ＺｎＯ−ｘｍｏｌ％Ａｌ（２≦ｘ≦７）となるように混合し、次いで非酸化性雰囲気で上記混合粉末を加圧焼結することを特徴とする。
【００１０】
請求項３に記載のターゲット製造方法は、請求項２に記載のターゲット製造方法において、焼結がパルス通電焼結によることを特徴とする。
【００１１】
ＺｎＯ−ｘｍｏｌ％Ａｌとは、ＺｎＯのｍｏｌ数：Ａｌのｍｏｌ数＝（１００−ｘ）：ｘであることを示す。ｘは、Ａｌをドープして良好な導電性を持たせるために、好ましくは、３≦ｘ≦６である。非酸化性雰囲気とは、Ａｌが酸化しない雰囲気を意味し、例えば真空としたり、不活性ガス雰囲気とすることを意味する。
【発明の効果】
【００１２】
本発明によれば、エロージョンの発生を著しく低減し、興業上実質的に均一な電気伝導度を有するＡＺＯ膜を基板上に成膜可能となる。
【図面の簡単な説明】
【００１３】
【図１】本発明のターゲットを用いたＡＺＯ薄膜の抵抗率の基板位置依存性を測定した結果を示したグラフである。
【発明を実施するための形態】
【００１４】
以下、本発明の実施の形態を図面を参照しながら詳細に説明する。
まず、酸化亜鉛粉末（レアメタリック社製：型番：Ｚｎ−２７−２０−０１５０：純度５Ｎ、粒径１〜２μｍ）と金属アルミニウム粉末（レアメタリック社製：型番ＡＬ−６０−７０−００３０：純度３Ｎ、粒径２００ｍｅｓｈ）を、ＺｎＯ−５ｍｏｌ％Ａｌとなるように秤量して混合した。これを、真空中において９００℃でパルス通電焼結し、ターゲットとした（以降適宜、本ターゲットと称する）。なお、ターゲットの大きさは、直径１００ｍｍ×厚み４．５ｍｍである。
【００１５】
また、金属アルミニウム粉を添加せずに、酸化亜鉛粉末のみを用いて同様な条件でパルス通電焼結してターゲットを試作した（以降適宜、比較ターゲット１と称する）。
【００１６】
本ターゲットの表面色は黒色であり、比較ターゲット１の表面色はダークブラウンであった。そこで、本ターゲットを濃度分析したところ、アルミニウムが酸化亜鉛を還元しており、一部金属亜鉛が析出していることを確認した。
【００１７】
次に、本ターゲットを汎用のＲＦマグネトロンスパッタ装置（キャノンアネルバ社製：型番Ｅ−４００ｓ）にセットし、これに対峙させた室温のガラス基板上に、ＲＦ出力２００Ｗでスパッタリングをおこない、ＡＺＯ膜を作成した。なお、スパッタリングガスには純Ａｒを用い、スパッタリングガス圧を１．０Ｐａとした。
【００１８】
比較例として、ＡＺＯ成膜用によく使用されるＡｌ２Ｏ３粉末添加ターゲット（ＺｎＯ−2.56mol%Ａｌ２Ｏ３：大気中にて非加圧焼結したもの）を用いて、同装置で同様にＡＺＯ膜を作成した。なお、用いたターゲット以降適宜比較ターゲット２と称する。
【００１９】
図２に、得られたＡＺＯ薄膜の室温における抵抗率を基板位置の関数（基板中心からの距離）の関数として示した。図から明らかなように、エロージョン領域以外の場所では、両試料の差は有意には認められず、いずれも１×１０−３Ωｃｍ程度である。
【００２０】
一方、比較ターゲット２によるＡＺＯは、エロージョンが生じており、その領域では、抵抗率が１０倍以上も上昇している。これに対し、本ターゲットによるＡＺＯは、エロージョンがわずかに起こっている程度であり、その領域も境界が不明瞭である、という著しい結果が確認できた。
【００２１】
すなわち、本発明の製造方法により得られるターゲットは、マグネトロンスパッタリングに用いるのに好適であって、低抵抗かつ成膜面の抵抗率分布の差を抑制したＡＺＯ膜を得ることができる。
【図１】
2013170302.tif 000003
(57)【要約】【課題】  指付衣類の裏返しが簡単に出来る指付衣類裏返し具を提供する。【解決の手段】  中央に先端が球形の軸を設け、両側に先端が球形のすべり軸、中空軸、バネ等で構成された伸縮軸を等間隔に２本設けた、具を一具は台に固定、一具は固定された具の先端と向い合せに設け、先端が上下するように、への字蝶番、蝶番等で支柱に設けたことを特徴する指付衣類裏返し具。【選択図】図１
2013170342.tif 000002
【特許請求の範囲】
【請求項１】
中央に先端が球形の軸を設け、両側に先端が球形のすべり軸、中空軸、バネ等で構成された伸縮軸を等間隔に２本設けた、具を一具は台に固定、一具は固定された具の先端と向い合せに設け、先端が上下するように、への字蝶番、蝶番等で支柱に設けたことを特徴とする指付衣類裏返し具。
【発明の詳細な説明】
【技術分野】
【０００１】  本発明は、指付衣類を一気に裏返すことができる指付衣類裏返し具に関するものである。
【背景技術】
【０００２】  従来、指付衣類は脱の時に裏返ってしまい、それを手指を使って一本ずつ行っていた。
【発明の開示】
【発明が解決しようとする課題】
【０００３】  そのために、次のような問題点があった。
（イ）手指で一本ずつ裏返すのは大変難しかった。
（ロ）手指、目がつかれて、苛立ってしまった。
（ハ）この作業はいつも後回しになってしまった。
本発明は以上の問題点を解決しようとするものである。
【課題を解決するための手段】
【０００４】  中央に先端が球形の軸を設け、両側に先端が球形のすべり軸、中空軸、バネ等で構成された伸縮軸を等間隔に２本設けた、具を一具は台に固定、一具は固定された具の先端と向い合せに設け、先端が上下するように、への字蝶番、蝶番等で支柱に設ける。以上を特徴とする指付衣類裏返し具。
【発明の効果】
【０００５】（イ）率先して行うようになった。
（ろ）疲労、苛立ちがなくなった。
（ハ）時間短縮ができた。
【発明を実施するための最良の形態】
【０００６】以下、本発明の実施の形態について説明する。
（イ）中央に先端（１４）が球形（１）の軸（２）を設け。
（ろ）両側に先端（１４）が球形（１）のすべり軸（４）、中空軸（３）、バネ（６）等で構成された伸縮軸（１３）を等間隔に２本設けた。
（ハ）具（１２）を一具（１２）は台（１０）に固定、一具（１２）は固定された具の先端（１４）と向い合せに設け。
（ニ）先端（１４）が上下するように、への字蝶番（７）、蝶番（８）等で支柱（９）に設ける。
本発明は以上のような構成よりなっている。
本発明を使用するときは、固定された具（１２）に指付衣類（１５）を装着し、反対側の具（１２）を持ち上げて、装着した指付衣類（１５）が図２のように裏返るようにはずしながら持ち上げた具（１２）に移しかえて、一気に裏返しが出来る。
【図面の簡単な説明】
【０００７】
【図１】本発明の斜視図
【図２】本発明の使用状態を示す斜視図
【符号の説明】
【０００８】（１）球形、（２）軸、（３）中空軸、（４）すべり軸、（５）すべり溝、（６）バネ、（７）への字蝶番、（８）蝶番、（９）支柱、（１０）台、（１１）要、（１２）具、（１３）伸縮軸、（１４）先端、（１５）指付衣類
【図１】
2013170342.tif 000003
【図２】
2013170342.tif 000004
(57)【要約】【課題】従来の技術では、ダンボール箱の開梱後の一時蓋閉じや、再利用の目的で雑品入れなどとして使う場合の蓋を閉じる方法として、粘着テープで止めたり、紐で縛ったり、また地獄組みで閉じる方法などで行われている。【解決手段】ダンボール箱外蓋１０の両端をクリップ形状の物で止める。コの字型の形状にバネ圧力規制切り欠き１ｅを設け、バネの圧力を弱める効果を持つ。ダンボール箱外蓋１０の内側に入る誘い込み１ｆはほぼ平坦であるが、引っかかりを無くすために誘い込み１ｆを設ける。ダンボール箱外蓋１０の表面から押さえる部分には、位置規制突起１ｂを備えた筒状軸受け１ａと巻き込み１ｃから成り、筒状軸受け１ａにレバー２が組み込まれた蓋クリップである。【選択図】図１
2013170007.tif 000002
【特許請求の範囲】
【請求項１】
コの字型の形状にバネ圧力規制切り欠き１ｅを設け、下面は誘い込み１ｆを備えたほぼ平坦な形状とし、上面に位置規制突起１ｂを備えた筒状軸受け１ａと巻き込み１ｃから成り、筒状軸受け１ａにレバー２が組み込まれたことを特徴とする蓋クリップ。
【請求項２】
前記レバー２は、筒状軸受け１ａに設けられた位置規制突起１ｂにより、倒れ方向の中間点で留まらないよう前後何れかの方向に倒れることを特徴とした蓋クリップ。
【発明の詳細な説明】
【技術分野】
【０００１】この発明は、ダンボール箱の蓋を容易に閉じたり開けたりすることが出来る器具に関する物である。
【背景技術】
【０００２】従来、ダンボール箱は安価な収納箱として幅広く利用されているが、開梱後の一時蓋閉じや、再利用の目的で雑品入れなどとして使う場合の蓋を閉じる方法として、粘着テープで止めたり、紐で縛ったり、また地獄組みで閉じる方法などがある。
【発明の概要】
【発明が解決しようとする課題】
【０００３】従来の技術で、粘着テープで止めた場合は、開け閉めする度に粘着テープを貼ったり剥がしたりと面倒であるうえダンボール自体も損傷してしまう。紐で縛る場合はダンボール箱に紐をかけ縛るのだが、面倒さがあるうえ全周囲に紐がかかるため段積みした場合しっくりしない。また地獄組みで閉じる場合は蓋自体を極度に曲げるため、ダンボール箱外蓋１０とダンボール箱内蓋１１に曲がり癖ができるうえ開閉の頻度に耐えられず、長持ちしない。
【課題を解決するための手段】
【０００４】以上の課題を解決するために、第一発明は、コの字型のクリップ状の片側は平坦で、その平坦な部分をダンボール箱外蓋１０とダンボール箱内蓋１１の間に差し込み、もう一方の表面にレバー２があり、レバー２を持ち上げるようにしながら引き込むことにより装着できることを特徴とする蓋クリップである。
また第二発明は、取付け、取外しをレバー２で行うが、そのレバー２は位置規制突起１ｂにより中間点には留まらず、前後何れかの方向に倒れることを特徴とする。
【発明の効果】
【０００５】第一発明、第二発明によれば、ダンボール箱の蓋を容易に閉じたり、開けたりすることができ、ダンボール箱自体には負担がかからないので長持ちする。またダンボール箱の活用が増えれば廃棄することが少なくなるので、廃棄物が減少する。
【図面の簡単な説明】
【０００６】
【図１】蓋クリップの斜視図
【図２】蓋クリップの平面図
【図３】蓋クリップの側面図
【図４】蓋クリップの正面図
【図５】蓋クリップの取付、取外し動作図
【図６】蓋クリップ本体１をダンボール箱の外蓋１０の両端に取り付けた斜視図
【図７】ダンボール箱の蓋を地獄組みで閉じた斜視図
【発明を実施するための形態】
【０００７】この発明の一実施形態を、図１に示す。蓋クリップ本体１は鋼材でコの字型の形状にバネ圧力規制切り欠き１ｅを設け、バネ部１ｄのバネ圧力を弱める効果を持つ。ダンボール箱外蓋１０とダンボール箱内蓋１１の間に入る誘い込み１ｆはほぼ平坦であるが、挿入時の引っかかりを無くすために誘い込み１ｆを設ける。ダンボール箱外蓋１０の表面から押さえる部分は、位置規制突起１ｂを備えた筒状軸受け１ａと巻き込み１ｃから成り、筒状軸受け１ａにレバー２が組み込まれる。レバー２はピアノ線とする。
【符号の説明】
【０００８】１蓋クリップ本体    １ａ筒状軸受け    １ｂ位置規制突起    １ｃ巻き込み
１ｄバネ部    １ｅバネ圧力規制切り欠き    １ｆ誘い込み    ２レバー
１０ダンボール箱外蓋    １１ダンボール箱内蓋
１００蓋クリップをダンボール箱外蓋１０に取付け直前の様子
１０１蓋クリップをダンボール箱外蓋１０に挟み込んだ様子
１０２蓋クリップをダンボール箱外蓋１０に取付けた様子
１０３蓋クリップをダンボール箱外蓋１０に取付け完了の様子
１０４蓋クリップをダンボール箱外蓋１０から取外し開始の様子
１０５蓋クリップをダンボール箱外蓋１０から取外し直前の様子
【図１】
2013170007.tif 000003
【図２】
2013170007.tif 000004
【図３】
2013170007.tif 000005
【図４】
2013170007.tif 000006
【図５】
2013170007.tif 000007
【図６】
2013170007.tif 000008
【図７】
2013170007.tif 000009